(57)【特許請求の範囲】
【請求項１】
オイルパンの排油口に吊持状態で先端が係止される係止部材と、前記係止部材を排油口に対して係止状態と非係止状態に変更自在に操作する操作棒と、前記係止部材の基端部に吊持状態で保持されると共に排油口から排出されるオイルを受け止めるオイル受け本体を備え、前記係止部材をオイル受け本体の内周側位置に配すると共に、前記操作棒の操作端をオイル受け本体の外周側位置に配したオイル受け具であって、係止部材を２本の線状部材で構成し、それら各先端を外向きに折曲げて係止部を形成し、一方の線状部材に操作棒を取付け、この操作棒を水平に回転操作させることで各線状部材の係止部どうしが近付くようにねじらせることによって、両線状部材を係止状態から非係止状態に変更するようにしたことを特徴とするオイル受け具。
【請求項２】
オイルパンの排油口に吊持状態で先端が係止される係止部材と、前記係止部材を排油口に対して係止状態と非係止状態に変更自在に操作する操作棒と、前記係止部材の基端部に吊持状態で保持されると共に排油口から排出されるオイルを受け止めるオイル受け本体を備え、前記係止部材をオイル受け本体の内周側位置に配すると共に、前記操作棒の操作端をオイル受け本体の外周側位置に配したオイル受け具であって、係止部材を２本の線状部材で構成し、第１線状部材の先端を外向きに折曲げて係止部を形成すると共に第２線状部材の先端を直線状に形成し、第２線状部材に操作棒を取付け、この操作棒を上下に操作することで第２線状部材を上下に出没させることによって、第１、第２線状部材を係止状態と非係止状態に変更自在にしたことを特徴とするオイル受け具。
【発明の詳細な説明】
【０００１】
【発明の属する技術分野】
本発明は、自動車のエンジン本体の下部に取付けられるオイルパンの排油口の下方で、排油口から排出されるドレンオイルを受け止めるオイル受け具に関するものである。
【０００２】
【従来の技術】
オイル受け具は、自動車のオイル交換のための排油作業の際に、オイルパンから排出されるオイルを受け止めるのに使用される。
【０００３】
排油作業はまず、オイルパンの下隅部に取付けられたドレンコックを開いた後、オイル受け具を下方に当てがってオイルを受け止めることによって行なわれる。従来では、受け皿型の受け具を排油口下方の地面に置いたり、漏斗型の受け具を排油口に当てがったりして、排油口から排出されるオイルを受け止めていた。
【０００４】
【発明が解決しようとする課題】
ところが受け皿型のオイル受け具を地面に置く方法では、排油口と受け具との間に距離があるために一気に排出されてくるオイルが飛び散り、周囲を汚すという問題がある。また粘性が出ないうちに排油作業をした方がオイルの排出がスムースに短時間で行えることもあって、油音の高い状態のオイルを受け止めるので、飛び散った熱いオイルで火傷をするおそれもあった。
【０００５】
また漏斗型のオイル受け具を排油口に当てがう方法では、オイルがオイルパンから排出される間、オイル受け具を持ち続けるので作業能率が悪く、作業者に負担であるという問題がある。
【０００６】
そこで本発明は、上記従来技術の問題を解消し、作業者に負担をかけずに能率良く安全に排油作業を行うことのできるオイル受け具を提供することを目的とする。
【０００７】
【課題を解決するための手段】
本願の第1発明のオイル受け具は上記目的を達成するために、オイルパンの排油口に吊持状態で先端が係止される係止部材と、前記係止部材を排油口に対して係止状態と非係止状態に変更自在に操作する操作棒と、前記係止部材の基端部に吊持状態で保持されると共に排油口から排出されるオイルを受け止めるオイル受け本体を備え、前記係止部材をオイル受け本体の内周側位置に配すると共に、前記操作棒の操作端をオイル受け本体の外周側位置に配したオイル受け具であって、係止部材を２本の線状部材で構成し、それら各先端を外向きに折曲げて係止部を形成し、一方の線状部材に操作棒を取付け、この操作棒を水平に回転操作させることで各線状部材の係止部どうしが近付くようにねじらせることによって、両線状部材を係止状態から非係止状態に変更するようにしたことを特徴とする。
【０００８】
本発明のオイル受け具を排油作業に使用する場合にはまず、係止部材の先端が非係止状態となるように操作棒の操作端を操作してから、オイル受け本体をオイルパンの排油口下方に当てがい、排油口に取付けられたドレンコックを外した後、前記非係止状態の係止部材の先端を排油口に挿入する。その後、係止部材の先端が係止状態となるように操作棒の操作端を操作すると、係止部材が先端が排油口に吊持状態で係止され、その係止部材に吊持状態で保持されるオイル受け本体は排油口下方にぶら下がった状態で、排出されるオイルを受け止めることができる。この際、係止部材はオイル受け本体の内周側に配されているので、オイルを周りに飛び散らすことなく、排油口から排出されるオイルをオイル受け本体で受け止めることができる。また、オイル受け本体の底部に排出口を設けると共に排出口にフレキシブルホースを接続する等すれば、受け止めたオイルを前記ホースを通じて地面に置いたタンク等の一箇所に人手を煩わせずに自動的に集めるようにすることも可能になる。更に、操作レバーの操作端はオイル受け本体の外周側位置に配されているので、内周側で受け止めたオイルが手にかかるおそれがなく、熱いオイルで火傷をするのを防止することができる。
【０００９】
オイル排出が終了すると、係止部材の先端が非係止状態となるように操作棒の操作端を操作し、前記係止部材の係止を解除して排油口から係止部材の先端を引き抜いてオイル受け本体を下降させて、オイル受け具をオイルパンから分離することができる。
【００１０】
更に本願の第1発明は、係止部材を２本の線状部材で構成し、それら各先端を外向きに折曲げて係止部を形成し、一方の線状部材に操作棒を取付け、この操作棒を水平に回転操作させることで各線状部材の係止部どうしが近付くようにねじらせることによって、両線状部材を係止状態から非係止状態に変更するように構成しているので、操作棒を回転操作すると、各線状部材の係止部どうしが近づき重なり、重なった係止部の幅が排油口の径より小となる非係止状態となって排油口に挿入できる。その後、操作端を離す等して操作棒が逆に回転するように操作すると、重なっていた各係止部が離れ、その外向きに折曲げた先端が排油口に係止状態となって、係止部材である両線状部材を吊持状態に係止し、両線状部材に保持されているオイル受け本体によって前記と同様にしてオイルを受け止めることができる。
【００１１】
本願の第2発明は、オイルパンの排油口に吊持状態で先端が係止される係止部材と、前記係止部材を排油口に対して係止状態と非係止状態に変更自在に操作する操作棒と、前記係止部材の基端部に吊持状態で保持されると共に排油口から排出されるオイルを受け止めるオイル受け本体を備え、前記係止部材をオイル受け本体の内周側位置に配すると共に、前記操作棒の操作端をオイル受け本体の外周側位置に配したオイル受け具であって、係止部材を２本の線状部材で構成し、第１線状部材の先端を外向きに折曲げて係止部を形成すると共に第２線状部材の先端を直線状に形成し、第２線状部材に操作棒を取付け、この操作棒を上下に操作することで第２線状部材を上下に出没させることによって、第１、第２線状部材を係止状態と非係止状態に変更自在にしたことを特徴とする。本願の第2発明によれば、第１線状部材に形成された係止部が排油口に挿入可能なように、その折曲げた係止部の上端に、第２線状部材の上端をほぼ合わせて排油口に挿入した後、操作棒を上方に操作すると第２線状部材も上に移動し、第１線状部材の係止部が排油口に引っ掛かって前記係止状態となって、係止部材である第１、第２線状部材を吊持状態に係止し、第１、第２線状部材に保持されているオイル受け本体によって前記と同様にしてオイルを受け止めることができる。
【００１２】
【発明の実施の形態】
以下、本発明の実施形態を図１ないし図１０を参照して説明する。
【００１３】
図１〜図６に示す第１実施形態は、オイルパン１０の排油口１（図６）に吊持状態で先端に設けられた後記係止部２ａ1 、２ｂ1 が係止される係止部材２と、係止部材２を排油口１に対して係止状態と非係止状態に変更自在に操作する操作棒３と、係止部材２を係止状態に維持するためのストッパー４と、排油口１から排出されるオイルを受け止めるオイル受け本体５とから構成される。このオイル受け本体５は、把手５ａが付いた耐熱性の樹脂製や金属製の漏斗型容器から形成される。
【００１４】
係止部材２は２本の線状部材２ａ、２ｂからなり、それら各先端は外向きに折曲げることによって排油口１へ係止する係止部２ａ1 、２ｂ1 を形成している。これら線状部材２ａ、２ｂの基端部２ｃをオイル受け本体５の底部５ｃに、固定部材６によって固定することで、オイル受け本体５が線状部材２ａ、２ｂに吊持状態で保持される。尚、オイル受け本体５の内周側位置に配される係止部材２は、オイル受け本体の開口５ｂのほぼ中心線上に位置すると好適であるが、それに限定されず、基端部２ｃの固定位置も係止部材２でオイル受け本体５を吊持状態で保持できるように固定される限り、その底部５ｃに限定されない。
【００１５】
操作棒３はその基端をカールさせた取付部３ｂによって、線状部材２ｂのほぼ中央部に取付けると共に、先端に操作つまみ３ａを設けている。この操作つまみ３ａはオイル受け本体５の外周側位置に配されているので、内周側で受け止めた熱いオイルが手にかかって火傷をするのを防止している。
【００１６】
ストッパー４は折曲げた先端の係止部２ａ1 、２ｂ1 が開いている状態つまり係止部材２の排油口１への係止状態を維持できるように、操作棒３の回転を止めるストッパー機能に加え、操作棒３の上動を規制することで、その回転操作がオイル受け本体５の開口５ｂ周縁に沿ってスムースにガイドする機能をも併せ持っている。尚、これら両機能を満たすものとして、図７に示す第１実施形態の変形例のように、オイル受け本体５の開口部にスリット１４を開設しても良い。この変形例の場合、操作棒３がスリット１４の左端点に位置した場合には係止部材２が係止状態（オイル排出）、操作棒３がスリット１４の右端点に位置した場合には係止部材２が非係止状態（係止部材２の挿入と引き抜き）となる。
【００１７】
本実施形態のオイル受け本体５を排油作業に使用する場合を、以下説明する。まず係止部材２の係止部２ａ1 、２ｂ1 が非係止状態となるように、操作棒３を回転操作する。つまり操作棒３の操作つまみ３ａを把持し、線状部材２ｂへの取付部３ｂを中心にして、オイル受け本体５の開口５ａ周縁に沿って図４、図５に矢印Ａで示すように水平に回転操作させると、線状部材２ｂが手前に引っ張られると共に、線状部材２ａは取付部３ｂの背側で押圧されて後方にねじられるのに伴い、先端の係止部２ａ1 、２ｂ1 どうしが図４に示すように矢印Ｂ方向に近付き重なる。すると、重なった係止部２ａ1 、２ｂ1 の幅Ｈが排油口１の径より小となる非係止状態となって、図６で示すように矢印Ｃ方向にオイルパン１０の排油口１にスムースに挿入できる。尚、この操作はオイル受け本体５を、その把手５ａを把持して排油口１の下方に当てがい、ドレンコック（図示せず）を外した後に行なわれる。係止部材２挿入後に操作棒３を離すと、係止部２ａ1 、２ｂ1 が開いて係止状態となって線状部材２ａ、２ｂが吊持状態で係止され、その線状部材２ａ、２ｂに保持されるオイル受け本体も排油口１下方にぶら下がった状態で、排出されるオイルを受け止めることができる。
【００１８】
尚、本実施形態では、オイル受け本体５の下端に排出口５ｄを設けているので、その排出口５ｄにフレキシブルホース８を接続することによって、オイル受け本体５で受け止めたオイルを、ホース８を通じて、地面に置いたタンク９等の一箇所に人手を煩わせずに自動的に集めることができる。
【００１９】
図８〜図１０に示す第２実施形態は、係止部材１２を２本の線状部材１２ａ、１２ｂで構成する基本構成は第１実施形態と同様であるが、係止部材２を操作棒３の操作により非係止状態と係止状態に変更する構造がやや異なっている（同様の構造部分は符号を同一にし、その説明を省略する）。
【００２０】
第２実施形態では、第１線状部材１２ａの先端にのみ外向きの折曲げた係止部１２ａ1 を形成している。操作棒３は第２線状部材１２ｂに一体形成され、この操作棒３を上下に操作することで第２線状部材１２ｂを上下に出没させることによって、係止部１２ａ1 の上端と直線状の第２線状部材１２ｂの上端を併せた状態（図８と図９に実線で示す）から、第２線状部材１２ｂが係止部１２ａ1 の上辺部より高い状態（図８と図９に仮想線で示す）に変更させている。前者は非係止状態であり、係止部材２を排油口１に挿入する場合の操作例であり、後者は係止状態であり、前記挿入後に図１０に示すように係止部材１２の係止部１２ａ1 を排油口１に係止する場合の操作例である。
【００２１】
操作棒３を操作する場合、第１実施形態で説明したようなストッパー機能とガイド機能は、第１、第２線状部材１２ａ、１２ｂに嵌挿すると共にオイル受け本体５の底部５ｃに固定したガイド筒１１によって発揮される。ガイド筒１１には操作棒３を各係止状態にガイドするためのスリット１１ａが開設されており、その下端点で前記非係止状態を維持し、その右端点までガイドされストップして前記係止状態を維持している。また操作棒３のガイド操作は、オイル受け本体５の開口５ｂに設けられたガイド溝１６と開口５ｂ周縁に沿って行なわれる。
【００２３】
【発明の効果】
本発明のオイル受け具によれば、オイルパンからの排油を飛び散ることがなく、スムースに受け止めることができるので、周囲を汚したり火傷をする心配なく安全に排油作業を行うことができると共に、排油口に係止部材を係止することによって、オイル受け本体を持ち続けなくても自動的に排油を受け止めることができ能率良く排油作業を行うことができる。
【図面の簡単な説明】
【図１】本発明の第１実施形態を示す縦断側面図。
【図２】同第１実施形態を示す斜視図。
【図３】図２の平面図。
【図４】同第１実施形態における係止部材の係止状態と非係止状態を示す説明図。
【図５】図４の平面図。
【図６】同第１実施形態の使用状態を示す側面図。
【図７】同第１実施形態の変形例の要部を示す斜視図。
【図８】本発明の第２実施形態を示す斜視図。
【図９】図８の要部を断面して見た側面図。
【図１０】同第２実施形態の使用状態を示す側面図。
【符号の説明】
１  排油口
２  係止部材
２ａ、２ｂ  線状部材
２ａ1 、２ｂ2   係止部
３  操作棒
３ａ  操作つまみ（操作端）
５  オイル受け本体
１０  オイルパン
１２ａ  第１線状部材
１２ｂ  第２線状部材
１２ａ1   係止部
【図１】
0004290810.tif 000002
【図２】
0004290810.tif 000003
【図３】
0004290810.tif 000004
【図４】
0004290810.tif 000005
【図５】
0004290810.tif 000006
【図６】
0004290810.tif 000007
【図７】
0004290810.tif 000008
【図８】
0004290810.tif 000009
【図９】
0004290810.tif 000010
【図１０】
0004290810.tif 000011